(57)【要約】【課題】  回動軸並びにストッパ部の小型化を図ったとしても、ストッパ部が脱落せずかつ破損し難い二軸ヒンジを提供する。【解決手段】  ストッパ１０１Ａと回動軸１００Ａとを一体成型する。その一体成型した回動軸１００Ａを開閉軸１０に取り付ける。開閉軸１０に設けられた係止部１４にその一体成型されたストッパ１０１Ａの突出部１０１１Ａを係止することにより臨界角以上の回動を阻止する。回動軸１００Ａは一体成型されているのでストッパ自体およびストッパと回動軸との連携部に以前にも増して強度が与えられて回動軸が回動されている最中の脱落事故や破損事故が防止される。【選択図】  図４
2006118178.tif 000002
【特許請求の範囲】
【請求項１】
第１ユニットを第２ユニットに対し開閉させる開閉軸と開状態の第１ユニットを該第２ユニットに対し回動させる回動軸とを有する二軸ヒンジにおいて、
前記回動軸が、該回動軸の半径方向に突出した、回転範囲規制用の突出部を備えるとともに、
前記開閉軸が、前記回動軸が回転範囲臨界角まで回動されたときに前記突出部に係止して該回転角の該臨界角を超える回転を阻止する係止部を備え、
前記回転軸が、前記突出部を含め一体成型されたものであることを特徴とする二軸ヒンジ。
【請求項２】
前記回動軸が、前記突出部を含め金属射出成型法により一体成型されたものであることを特徴とする請求項１記載の二軸ヒンジ。
【発明の詳細な説明】
【技術分野】
【０００１】
本発明は、第１ユニットを第２ユニットに対し開閉させる開閉軸と開状態の第１ユニットをその第２ユニットに対し回動させる回動軸とを有する二軸ヒンジに関する。
【背景技術】
【０００２】
ビデオカメラやデジタルカメラなどでは、撮影レンズが捉えた被写体を表示パネル上に表示することによって表示パネルをファインダ代わりに使用することができるようにしているものが多い。この表示パネルが配備されているビデオカメラの中には、携帯性と使い勝手の双方を考えて、使用しないときには表示パネルがケースに重なるようにして閉状態に維持され、使用するときにはその閉状態にあった表示パネルが開状態にされ用いられるものがある。このように表示パネルを開閉させるにあたってはヒンジが用いられるが、このようなヒンジの中には表示パネルが開状態にあるときに表示パネルを回動することができるようにするため開閉軸のほかにその開閉軸と直交する回動軸を持っているものもある。このような開閉軸と回動軸とを有するものを二軸ヒンジと呼び、この二軸ヒンジに関しては構造の簡略化について様々な提案がなされている（例えば特許文献１〜特許文献３参照）。
【０００３】
図１は、従来の二軸ヒンジ１の構造の一例を示す図であり、図２は、図１の分解図である。
【０００４】
図１、図２には開閉軸１０が横方向に延びた形で示されている。この開閉軸１の両端部に第１ユニット例えばケースに取り付けられる回動用部材１１，１２がそれぞれ取り付けられている。図２に示すようにその開閉軸１の中央には回動軸１００を受け入れる孔１３が設けられ、さらにその孔１３の周縁外側に係止片１４が設けられている。また、図２には回動軸１００が孔１３に挿入されて開閉軸１０に取り付けられるときに嵌挿される、別部材からなるストッパ１０１も示されている。このストッパ１０１は、回転方向に回転範囲規制用の突出部１０１１を備えており、この突出部１０１１が回動に応じて開閉軸１０の係止片１４に係止するようになっている。このようなストッパ１０１とともに回動軸１００が開閉軸１の孔１３に挿入されて図１に示す二軸ヒンジ１が組立てられる。図１には、二軸ヒンジ１の回動軸１００が回動操作により回動され、ストッパ１０１が回動軸１００とともに回って回転範囲臨界角までその回動軸１００が回動されたときに、開閉軸１０に設けられている係止部１４にストッパ１０１の突出部１０１１が係止して回転が阻止された状態が示されている。
【０００５】
このような二軸ヒンジ１の回動軸１００に例えば表示パネルが取り付けられさらに開閉軸１０端部に取り付けられている回動部材１１，１２それぞれがケースに取り付けられると、表示パネルがケースに対し開閉するとともに開状態にある表示パネルがケースに対し所定の角度範囲回動する、使い勝手の良い表示パネル部が構成される。
【０００６】
図３は、ストッパ１０１の外形寸法を示す図である。
【０００７】
図３に示すストッパ１０１は、図１，図２に示した回動軸１００が挿入される孔部１０１２を有し、その孔部１０１２は図１、図２に示した回動軸１００の端部の矩形部の寸法よりもやや大きめの矩形孔（一辺Ｄ寸法）になっている。その矩形孔の陵部にはＲ部が設けられており、そのＲ部の径がΦＣになっている。その矩形孔１０１２の縁からストッパ１４周縁に至るまでがストッパ１００の肉厚となってその肉厚によりこのストッパ１００にある程度の強度が与えられる。その外径ΦＢの寸法を持つストッパ１４の外周の一部に、開閉軸１０の係止部１４に係止する、ΦＢよりも長いΦＡの径を持つ回転規制用の突出部１０１１が設けられている。
【０００８】
いままではビデオの筐体が比較的大きく回動軸１００の径を大きくしてもこのストッパ１００の各寸法をある程度大きくすることができたのでこのストッパ１０１に充分な強度を与えることができたが、筐体の小型化に伴って今後回動軸１００やストッパ１０１も小型化しなければならなくなることが予想される。しかし、回動軸１００やストッパ１０１を小型化しようとして回動軸１００の径を細くすると、ストッパ１０１の孔径やストッパ１０１の外径を細くすることはできるものの、外径が細くなったストッパ自体の強度やストッパ１０１の突出部１０１１の強度や回動軸１００とその回動軸に嵌挿されているストッパの連携部の強度が低下してしまう恐れがある。
【０００９】
そうすると、回動軸１００が回動操作により回動されそのストッパ１０１が回動軸１００とともに回って開閉軸１０の係止部１４に係止したときに加えられる衝撃によりストッパ１０１が脱落してしまったりストッパの突出部１０１１が破損してしまったりする恐れが出てくる。また、図１に示すように別部材のストッパを組み込む構造のもの（特許文献１、特許文献２のものも同様の構造）であると、どうしてもストッパ１０１を組込むためのスペースが必要になってしまって二軸ヒンジ１が取り付けられる側の筐体の小型化に限界が生じてしまうばかりでなく、ストッパ１０１を回動軸１００に組み込む際の組立作業が煩雑になってしまって組立工数が増大してしまうという問題もある。
【００１０】
小型化を考えなければ、特許文献３に提案されている技術を用いることで強度をある程度は稼ぐこともできるが、特許文献３のものは元々サイズの大きな二軸ヒンジに適用される技術であって小型のものには向かない。
【特許文献１】特開２０００−５４７１５号公報
【特許文献２】特開２００１−２２７２２９号公報
【特許文献３】特開２００１−４１２２６号公報
【発明の開示】
【発明が解決しようとする課題】
【００１１】
本発明は、上記事情に鑑み、回動軸並びにストッパ部の小型化を図ったとしても、ストッパ部が脱落せずかつ破損し難い二軸ヒンジを提供することを目的とする。
【課題を解決するための手段】
【００１２】
上記目的を達成する本発明は、第１ユニットを第２ユニットに対し開閉させる開閉軸と開状態の第１ユニットを該第２ユニットに回動させる回動軸とを有する二軸ヒンジにおいて、
上記回動軸がその回動軸の半径方向に突出した、回転範囲規制用の突出部を備えるとともに、
上記開閉軸が、上記回動軸が回転範囲臨界角まで回動されたときに上記突出部に係止してその回転角のその臨界角を超える回転を阻止する係止部を備え、
上記回転軸が、上記突出部を含め一体成型されたものであることを特徴とする。
【００１３】
上記本発明の二軸ヒンジによれば、ストッパ部となる突出部を含め一体成型され回動軸とストッパが同一部品として成型加工されるため、小型化を行なったとしてもストッパ部にある程度の強度が与えられる。このため、上記回動軸が回転範囲臨界角まで回動され上記開閉軸の上記係止部に上記突出部が係止されたときにその突出部に衝撃が加えられても、いままでのようにストッパ部である突出部が脱落することはなくなる。また、一体成型されたことにより相応の強度がストッパ部に与えられているのでストッパ部が破損し難くなる。
【００１４】
ここで、上記回動軸が、上記突出部を含め金属射出成型法により一体成型されたものであることが好ましい。
【００１５】
射出成型法は、樹脂の一体成型法の一手段として有名であり、この射出成型法を用いると任意の形状のものが容易に成型される。最近ではこの射出成型法により金属の成型を行なうことも可能になってきているので、この射出成型法を用いることで、所定の強度を持つ金属の二軸ヒンジが容易に成型される。
【発明の効果】
【００１６】
以上、説明したように、回動軸の径の縮小化およびストッパ部の小型化を図っても、ストッパ部が脱落せずかつ破損し難い二軸ヒンジが実現される。
【発明を実施するための最良の形態】
【００１７】
以下、本発明の実施の形態について説明する。
【００１８】
図４は、本発明の撮影装置の一実施形態である二軸ヒンジ１Ａの回動軸１００Ａと開閉軸１０を示す図である。また図５は、本発明の撮影装置の一実施形態である二軸ヒンジの開閉軸の分解図である。
【００１９】
図４に示す二軸ヒンジ１Ａは、回動軸１００Ａとストッパ１０１Ａが一体成型されている以外、図１と同様の構成のものである。
【００２０】
図５を参照してこの二軸ヒンジ１Ａの構造を簡単に説明しておく。
【００２１】
まず開閉軸１の構造から説明する。この開閉軸１０は図１、図２に示したものと全く同じ構造のものである。
【００２２】
図５に示すように、開閉軸１０は支軸１０ａを備えており、その支軸１０ａが開閉軸として作用する。支軸１０ａの両端部には、その支軸１０ａを中心として回動することが自在な部材１１，１２がそれぞれ取り付けられる。それらの部材１１，１２は双方共Ｌ字状の部材であって、それらのＬ字状の部材１１，１２が備える２つの面それぞれには取付孔１１ａ，１１ｂ，１２ａ，１２ｂがそれぞれ設けられている。それら２つの面の一方の面に設けられている取付孔１１ａ，１２ａそれぞれにネジが挿入され第１のユニットである例えばケースに、この開閉軸１０が取付られると、その開閉軸の支軸１０ａつまり両端部に挟まれている中央部が回動自在になる。したがって、その支軸１０ａの中央の孔１３に回動軸１００が挿入されその回動軸１００に例えば第２ユニットである表示パネルが取り付けられると、第２ユニットである表示パネルが第１ユニットであるケースに対し開閉自在になる。さらに回動軸１００は、回動軸１００を中心として回動自在であるので表示パネルがケースに対し回動自在になる。
【００２３】
この例においては、組立が行ない易くなるように、図５に示す支軸１０ａの端部を中央側よりも細くしておいて上記Ｌ字状の部材の孔をそれぞれ挿入し易くしている。支軸１０ａの双方の端部にＬ字状の部材の孔を合わせるようにしてＬ字状の部材１１，１２が嵌挿されたら、それらのＬ字状の部材１１，１２が動かないようにＯリング状の止め具１１１，１２１が挿入され、さらにそのＯリング状の止め具１１１，１２１に重なるようにして外周に突起部を持つＯリング状の部材１１２，１２２が挿入されて開閉軸が組み立てられる。なお、このＯリング状の部材１１２，１２２が外周に持つ突起部は、開閉軸の開閉範囲を定めるものである。
【００２４】
また、この組立てられた開閉軸１０側の支軸１０ａの中央には、回動軸１００Ａを受け入れる孔１３が設けられており、その孔１３に回動軸１００Ａの端部が回動自在になるようにして挿入されるようになっている。この回動軸１００Ａは、その回動軸１００Ａの半径方向に突出した、回転範囲規制用の突出部１０１１Ａを備えるとともに、開閉軸が、回動軸が回転範囲臨界角まで回動されたときに突出部１０１１Ａに係止して回転角の臨界角を超える回転を阻止する係止部１４を備えている。この図４には、支軸１０ａに取り付けられるようになっている、係止部１４を備えた座具１０２Ａが回動軸のすぐ下に示されている。
【００２５】
ここでは開閉軸１０の支軸１０ａの中央の孔１３にストッパ１０１Ａが一体成型された回動軸１００Ａが嵌挿されさらに座具１０２Ａが取り付けられた後、止め具１０３Ａ〜１０４Ａにより回動軸が開閉軸にしっかりと取り付けられ、さらにその回動軸を覆うようにしてカバー１１０Ａが取り付けられて二軸ヒンジ１Ａが組立てられる。
【００２６】
いままであれば、ストッパにある程度の強度を持たせるためにどうしても回動軸の径を太くしたりストッパの内径と外形との差を大きくしたりする必要があったが、上記回動軸とストッパとが一体成型されているので、回動軸の径を細くしたとしても回動軸自体、回動軸とストッパとの連携部、さらにストッパ自体に今までのものよりも強い強度が与えられる。
【００２７】
そうすると、いままでは別部材であったため、回動軸が臨界角以上回動されることを阻止しようとしたときにストッパに衝撃が加えられてストッパが脱落したり、ストッパの半径方向に突出した、回転規制用の突出部が破損したりする不具合があったが、そういった不具合がすべて解消される。
【００２８】
このように回動軸を一体成型するにあたっては、金属射出成型方法を用いるのが良く、この金属射出成型法を用いると、任意の形状のものを容易に成型することができる。また、上記したようにストッパを挿入する必要がなくなり組立が容易になるので組立工数が削減されるという効果も得られる。
【図面の簡単な説明】
【００２９】
【図１】従来の二軸ヒンジの開閉軸の構造の一例を示す図である。
【図２】開閉軸に挿入される回動軸の構造の一例を示す図である。
【図３】ストッパの外形寸法を示す図である。
【図４】本発明の撮影装置の一実施形態である二軸ヒンジの回動軸と開閉軸を示す図である。
【図５】本発明の撮影装置の一実施形態である二軸ヒンジの開閉軸の分解図である。
【符号の説明】
【００３０】
１  １Ａ  二軸ヒンジ
１０  開閉軸
１１  １２    回動用部材
１３    孔
１４    係止片
１００  １００Ａ  回動軸
１０１    １０１Ａ    ストッパ
１０１１    １０１１Ａ    突出部
【図１】
2006118178.tif 000003
【図２】
2006118178.tif 000004
【図３】
2006118178.tif 000005
【図４】
2006118178.tif 000006
【図５】
2006118178.tif 000007